(57)【要約】【課題】既に構築された屋根構造体において屋根材の部分交換が可能であり、かつ、屋根材同士の連結強度が高い横葺き屋根材およびその横葺き屋根材を用いて構築された屋根構造体における屋根材の部分交換方法を提案する。【解決手段】板材本体の幅方向の一方の端縁を棟側ハゼ部を介して水上側に位置する吊子に嵌合させるとともに、該幅方向のもう一方の端縁を軒側ハゼ部を介して水下側に位置する吊子に嵌合させることにより屋根構造体を構築する横葺き屋根材において、前記棟側ハゼ部を、起立板と、突出し部と、側板と、天板と、係止片とを備え、該起立板、突出し部、側板、天板および係止片にてその内側に水上側に位置する吊子の嵌合空間を区画形成する屈曲片で構成し、前記軒側ハゼ部を、側板と、突出し部と、舌片とを備え、該側板、該突出し部および該舌片にてその内側に水下側に位置する吊子の嵌合空間を区画形成する屈曲片で構成する。【選択図】図１
2020037834.tif 000002
【特許請求の範囲】
【請求項１】
幅方向の端縁と長さ方向の端縁とによって区画された輪郭形状を有する板材本体を備え、該板材本体の幅方向の一方の端縁をその端縁に設けられた棟側ハゼ部を介して水上側に位置する吊子に嵌合させるとともに、該幅方向のもう一方の端縁をその端縁に設けられた軒側ハゼ部を介して水下側に位置する吊子に嵌合させることにより屋根構造体を構築する横葺き屋根材であって、
前記棟側ハゼ部は、前記板材本体の幅方向の一方の端縁につながり水上側に位置する吊子の起立壁に沿って立ち上がる起立板と、該起立板の上端に一体連結し水上側に位置する吊子の顎部において連係可能な突出し部と、該突出し部につながり水上側に位置する吊子の側壁に沿って伸延する側板と、該側板の上端に水平姿勢でつながり水上側に位置する吊子の天壁に沿い棟側に向けて伸延する天板と、該天板につながるとともに水上側に位置する吊子の天壁の端縁にて折り返されて該天壁に引っ掛かる係止片とを備え、該起立板、突出し部、側板、天板および係止片にてその内側に水上側に位置する吊子の嵌合空間を区画形成する屈曲片からなり、
前記軒側ハゼ部は、前記板材本体の幅方向のもう一方の端縁につながり水下側に位置する吊子の側壁に沿って伸延する側板と、該側板の下端につながり水下側に位置する吊子の顎部において連係可能な突出し部と、該突出し部の下端に垂下保持される舌片とを備え、該側板、該突出し部および該舌片にてその内側に水下側に位置する吊子の嵌合空間を区画形成する屈曲片からなることを特徴とする横葺き屋根材。
【請求項２】
前記起立板は、水上側において配置される他の横葺き屋根材との重ね合わせによりその相互間にエアーポケットを形成する凹部を有することを特徴とする請求項１に記載した横葺き屋根材。
【請求項３】
前記棟側ハゼ部、軒側ハゼ部は、それそのものの弾性変形によるスプリングバックを伴って水上側に位置する吊子、水下側に位置する吊子にそれぞれ着脱自在に嵌合するものである、ことを特徴とする請求項１または２に記載した横葺き屋根材。
【請求項４】
請求項１〜３のいずれか１項に記載した横葺き屋根材用いて構築された屋根構造体につき、その屋根構造体の任意の位置の屋根材を部分交換するに当たり、
まず、交換すべき横葺き屋根材の板材本体の軒側ハゼ部の、水下側に位置する吊子との嵌合を解除したのち、該板材本体の棟側ハゼ部を支点に該軒側ハゼ部を該板材本体とともに引き起して該棟側ハゼ部と水上側に位置する吊子との嵌合を解除することにより該交換すべき横葺き屋根材を取り外し、次いで、その取り外した部位に新規な横葺き屋根材を配置してその棟側ハゼ部の係止片を水上側に位置する吊子の天壁に引っ掛けるとともに該棟側ハゼ部を水上側に位置する吊子に向けて押し込む一方、該軒側ハゼ部を水下側に位置する吊子に向けて押し込むことにより該棟側ハゼ部の嵌合空間に水上側に位置する吊子を嵌合させるとともに該軒側ハゼ部の嵌合空間に水下側に位置する吊子を嵌合させることを特徴とする横葺き屋根材にて構築された屋根構造体における屋根材の部分交換方法。
【発明の詳細な説明】
【技術分野】
【０００１】
本発明は、横葺き屋根材およびその横葺き屋根材にて構築された屋根構造体における屋根材の部分交換方法に関するものである。
【背景技術】
【０００２】
横葺き屋根と呼ばれる屋根構造体は、長さ方向の寸法（桁行方向の寸法）が幅方向の寸法（梁間方向の寸法）よりも長い板状本体を備えた屋根板材を使用し、桁行方向において屋根板材同士を接続する作業を先行して行い、その接続作業が完了したならば梁間方向において屋根板材同士を接続する作業をそれぞれ棟に向けて交互に行うことによって構築されるものである。
【０００３】
かかる屋根構造体に使用される屋根板材は、通常、水上側の端縁については該端縁につながる延長部を設け、この延長部にビス等の固定具を打ち付けることによって野地板などの下地材に固定するか（特許文献１）、あるいは、該延長部に鉤型形状をなすハゼ部を設け、該ハゼ部の上部から吊子を引っ掛けることによって下地材に固定するのが普通である。しなしながら、この種の屋根板材は、例えば、屋根構造体の構築が完了したのちにおいて、屋根板材の一部分に傷や凹みなどの外観不良が発見され、その屋根板材の部分交換が迫られた場合にあっては、水上側の端縁につながる延長部分での固定を解除するか吊子を一旦取り外す必要があることから外観不良が発見された屋根板材に至るまでに取り付けられた屋根板材を全て取り外したのちでなければ屋根板材の交換は困難であり、屋根板材の効率的な部分交換を実施することができない状況にあった。
【先行技術文献】
【特許文献】
【０００４】
【特許文献１】特開２０１４−１９００１８号公報
【発明の概要】
【発明が解決しようとする課題】
【０００５】
本発明の課題は、屋根構造体の構築が完了したのちにおいて屋根板材の一部分に外観不良が発見された場合であっても、他の屋根板材を取り外すことなしに外観不良を起こした屋根板材のみを交換することが可能であり、しかも、屋根材同士の連結強度が高い横葺き屋根材およびその横葺き屋根材にて構築された屋根構造体における屋根材の部分交換方法を提案するところにある。
【課題を解決するための手段】
【０００６】
本発明は、幅方向の端縁と長さ方向の端縁とによって区画された輪郭形状を有する板材本体を備え、該板材本体の幅方向の一方の端縁をその端縁に設けられた棟側ハゼ部を介して水上側に位置する吊子に嵌合させるとともに、該幅方向のもう一方の端縁をその端縁に設けられた軒側ハゼ部を介して水下側に位置する吊子に嵌合させることにより屋根構造体を構築する横葺き屋根材であって、前記棟側ハゼ部は、前記板材本体の幅方向の一方の端縁につながり水上側に位置する吊子の起立壁に沿って立ち上がる起立板と、該起立板の上端に一体連結し水上側に位置する吊子の顎部において連係可能な突出し部と、該突出し部につながり水上側に位置する吊子の側壁に沿って伸延する側板と、該側板の上端に水平姿勢でつながり水上側に位置する吊子の天壁に沿い棟側に向けて伸延する天板と、該天板につながるとともに水上側に位置する吊子の天壁の端縁にて折り返されて該天壁に引っ掛かる係止片とを備え、該起立板、突出し部、側板、天板および係止片にてその内側に水上側に位置する吊子の嵌合空間を区画形成する屈曲片からなり、前記軒側ハゼ部は、前記板材本体の幅方向のもう一方の端縁につながり水下側に位置する吊子の側壁に沿って伸延する側板と、該側板の下端につながり水下側に位置する吊子の顎部において連係可能な突出し部と、該突出し部の下端に垂下保持される舌片とを備え、該側板、該突出し部および該舌片にてその内側に水下側に位置する吊子の嵌合空間を区画形成する屈曲片からなることを特徴とする横葺き屋根材である。
【０００７】
上記の構成からなる横葺き屋根材においては、前記起立板は、水上側において配置される他の横葺き屋根材との重ね合わせによりその相互間にエアーポケットを形成する凹部を有するのが好ましい。
【０００８】
また、本発明の横葺き屋根材は、前記棟側ハゼ部、軒側ハゼ部が、それそのものの弾性変形によるスプリングバックを伴って水上側に位置する吊子、水下側に位置する吊子にそれぞれ着脱自在に嵌合するものであるのが望ましい。
【０００９】
さらに、本発明は、上記の構成からなる横葺き屋根材にて構築された屋根構造体につき、その屋根構造体の任意の位置の屋根材を部分交換するに当たり、まず、交換すべき横葺き屋根材の板材本体の軒側ハゼ部の、水下側に位置する吊子との嵌合を解除したのち、該板材本体の棟側ハゼ部を支点に該軒側ハゼ部を該板材本体とともに引き起して該棟側ハゼ部と水上側に位置する吊子との嵌合を解除することにより該交換すべき横葺き屋根材を取り外し、次いで、その取り外した部位に新規な横葺き屋根材を配置してその棟側ハゼ部の係止片を水上側に位置する吊子の天壁に引っ掛けるとともに該棟側ハゼ部を水上側に位置する吊子に向けて押し込む一方、該軒側ハゼ部を水下側に位置する吊子に向けて押し込むことにより該棟側ハゼ部の嵌合空間に水上側に位置する吊子を嵌合させるとともに該軒側ハゼ部の嵌合空間に水下側に位置する吊子を嵌合させることを特徴とする横葺き屋根材にて構築された屋根構造体における屋根材の部分交換方法である。
【発明の効果】
【００１０】
本発明の横葺き屋根材は、板材本体の軒側ハゼ部、棟側ハゼ部が吊子の上から被さって嵌合する嵌合構造であり、軒側ハゼ部と吊子との嵌合を解除しておき、棟側ハゼ部を支点にして該軒側ハゼ部を板材本体とともに引き起こすことにより棟側ハゼ部と吊子との嵌合を解除することが可能であり、取り外したい横葺き屋根材のみの取り外しができる。
【００１１】
また、取り外した部位に新規な横葺き屋根材を取り付けるには、水上側に位置する吊子の天壁に棟側ハゼ部の係止片を引っ掛けるとともに該棟側ハゼ部を水上側に位置する吊子に向けて押し込む一方、軒側ハゼ部を水下側に位置する吊子に向けて押し込むことにより棟側ハゼ部の嵌合空間に水上側に位置する吊子を嵌合さるとともに軒側ハゼ部の嵌合空間に水下側に位置する吊子を嵌合させることが可能であり、横葺き屋根材の取り付けを簡単に行い得る。
【００１２】
とくに、屋根構造体を構築するに際して板材本体の棟側ハゼ部を吊子に嵌合させるに当たっては、軒先側、棟側のどちらからでも施工可能であり、また、横葺き屋根材を各吊子において同時に嵌合させることも可能であり、屋根構造体を構築する場合において施工時間の短縮を図ることができる。
【００１３】
また、本発明の横葺き屋根材は、棟側ハゼ部、軒側ハゼ部のいずれもが吊子の上から被さって嵌合することになるが、その際、棟側ハゼ部の突出し部が水上側に位置する吊子の顎部に連係し該棟側ハゼ部の係止片が水上側に位置する吊子の天壁の端縁に引っ掛かっており、軒側ハゼ部の突出し部が水下側に位置する吊子の顎部に連係しているため、屋根材同士の連結強度が高く、横葺き屋根材の板材本体に負圧が作用しても屋根材同士の連結が簡単に解除されることはない。
【図面の簡単な説明】
【００１４】
【図１】本発明にしたがう横葺き屋根材の実施の形態を模式的に示した外観斜視図である。
【図２】本発明にしたがう横葺き屋根材を吊子に取り付けた状態を側面について示した図である。
【図３】本発明にしたがう横葺き屋根材を用いて屋根構造体を構築するのに用いて好適な吊子の外観斜視図である。
【図４】（ａ）（ｂ）は、本発明にしたがう横葺き屋根材を用いて屋根構造体を構築する手順を示した図である。
【図５】（ａ）（ｂ）は、本発明にしたがう横葺き屋根材を用いて屋根構造体を構築する手順を示した図である。
【図６】本発明にしたがう横葺き屋根材を用いて構築された屋根構造体の一部分を示した外観斜視図である。
【図７】本発明にしたがう横葺き屋根材を用いて構築された屋根構造体につき、横葺き屋根材の取り外し要領を示した図である。
【図８】本発明にしたがう横葺き屋根材の他の実施の形態を示した外観斜視図である。
【図９】横葺き屋根材の取り外し用治具の装着要領の説明図である。
【図１０】取り外し用治具の装着状態を示した外観斜視図である。
【発明を実施するための形態】
【００１５】
以下、図面を参照して、本発明をより具体的に説明する。
図１は、本発明にしたがう横葺き屋根材の実施の形態を模式的に示した外観斜視図である。本発明にしたがう横葺き屋根材は、長さ方向の寸法は任意（フリー）で、幅方向の寸法が１８０〜４００ｍｍ程度、厚さ０．３５〜０．８ｍｍ程度の、例えば、溶融亜鉛めっき鋼板やカラー鋼板等の防錆処理鋼板、ステンレス鋼板、銅板、アルミニウム合金板、亜鉛板等からなるものが用いられ、ロール成形法やプレス成形法等を適用して所定の断面形状へと成形されるものである。
【００１６】
図１における符号１は、横葺き屋根材の板材本体である。板材本体１は、長さ方向の端縁１ａ、１ｂと幅方向の端縁１ｃ、１ｄとによって区画された輪郭形状を有するものからなっている。
【００１７】
また、符号２は、板材本体１の幅方向の一方の端縁１ｃに設けられた棟側ハゼ部、３は、板材本体１の幅方向のもう一方の端縁１ｄに設けられた軒側ハゼ部である。
【００１８】
図２は、本発明にしたがう上記の横葺き屋根材を、屋根の下地材の任意の位置に設けられた吊子４（水下側に位置する吊子）、吊子５（水上側に位置する吊子）に取り付けた状態をその側面について示したものである。本発明にしたがう横葺き屋根材は、板材本体１の幅方向の一方の端縁１ｃを棟側ハゼ部２を介して水上側に位置する吊子５に嵌合させるとともに、幅方向のもう一方の端縁１ｄを軒側ハゼ部３を介して水下側に位置する吊子４に嵌合させることによって取り付けられる。なお、ここでは、吊子４、５に横葺き屋根材を取り付けた場合を例として示しているが、屋根構造体を構築するに当たっては、軒から棟にかけて複数の吊子を設置してその全ての吊子において同様の要領で横葺き屋根材が取り付けられることになる。本発明にしたがう横葺き屋根材は、板材本体１の座屈を防止するとともに断熱性を高める観点から、板材本体１と下地材との間に断熱材ｄを配置することができる。断熱材ｄは、板材本体１の裏面に予め貼着しておいてもよいし、横葺き屋根材を取り付ける際に板材本体１と下地材との間に設置してもよい。
【００１９】
吊子４、５としては、屋根の一方のけらば（螻羽）からもう一方のけらば（螻羽）に向けて連続的に伸延し横葺き屋根材の長さ方向の寸法と同じ寸法を有する図３に示すような外観形状になる通し吊子を用いるのが好ましい。なお、形状が同一のものであれば所定の間隔をあけて設置される部分吊子を用いてもかまわない。吊子４、５において、符号４ａ、５ａは、棟側において固定ビスを介して下地材に固定されるベース、４ｂ、５ｂは、ベース４ａ、５ａにつながる起立壁、４ｃ、５ｃは、起立壁４ｂ、５ｂにつながるくの字形状をなす顎部、４ｄ、５ｄは、顎部４ｃ、５ｃにつながり外側に向けて凸となるアールを有する側壁、４ｅ、５ｅは、側壁４ｄ、５ｄの上端につながる天壁である。天壁４ｅ、５ｅの端縁には、図示はしないがその部位の剛性を高めるために折返し片を設けることができる。吊子４、５としては、顎部４ｃ、５ｃが軒側に位置しており、天壁４ｅ、５ｅの端縁が棟側に位置していれば図示以外の吊子を適用することも可能であり、図示のものに限定されることはない。
【００２０】
板材本体１に設けられた棟側ハゼ部２は、具体的には、板材本体１の幅方向の一方の端縁１ｃにつながり水上側に位置する吊子５の起立壁５ｂに沿って立ち上がる起立板２ａと、該起立板２ａの上端に一体連結し水上側に位置する吊子５の顎部５ｃにおいて連係可能な突出し部２ｂと、該突出し部２ｂにつながり水上側に位置する吊子５の側壁５ｄに沿って伸延する側板２ｃと、該側板２ｃの上端に水平姿勢でつながり水上側に位置する吊子５の天壁５ｅに沿い棟側に向けて伸延する天板２ｄと、該天板２ｄにつながるとともに水上側に位置する吊子５の天壁５ｅの端縁にて折り返されて該天壁５ｅに引っ掛かる係止片２ｅとを備え、該起立板２ａ、突出し部２ｂ、側板２ｃ、天板２ｄおよび係止片２ｅにてその内側に水上側に位置する吊子５の嵌合空間を区画形成する屈曲片からなるものが適用される。棟側ハゼ部２の起立板２ａには、吊子５のさらに水上側においてされる他の横葺き屋根との重ねあわせによりその相互間にエアーポケットを形成する凹部２ａ１が設けられていて、浸透圧現象による雨水の吸い込みを防止することができるようになっている。
【００２１】
棟側ハゼ部２は、それそのものの弾性変形によるスプリングバックを伴って水上側に位置する吊子５に着脱自在に嵌合するものであり、棟側ハゼ部２の嵌合空間に吊子５が嵌合した状態では、突出し部２ｂが吊子５の顎部５ｃに連係しており、係止片２ｅが吊子５の天壁５ｅの端縁に引っ掛かっていることから、屋根材同士の連結強度が高く、横葺き屋根材の板材本体１に負圧が作用しても簡単に抜け出すことがない。
【００２２】
また、軒側ハゼ部３としては、該板材本体１の幅方向のもう一方の端縁１ｄにつながり水下側に位置する吊子４の側壁４ｄに沿って伸延する側板３ａと、該側板３ａの下端につながり水下側に位置する吊子４の顎部４ｃにおいて連係可能な突出し部（顎部）３ｂと、該突出し部３ｂの下端に垂下保持される舌片３ｃとを備え、該側板３ａ、突出し部３ｂおよび舌片３ｃにてその内側に水下側に位置する吊子４の嵌合空間を区画形成する屈曲片からなるものが適用される。
【００２３】
上記軒側ハゼ部３も、それそのものの弾性変形によるスプリングバックを伴って水上側に位置する吊子４に着脱自在に嵌合するものであり、その嵌合空間に吊子４が嵌合した状態では、突出し部３ｂが吊子４の顎部４ｃに連係しており、横葺き屋根材の板材本体１に負圧が作用してもその嵌合が簡単に解除されることがないようになっている。
【００２４】
棟側ハゼ部２の側板２ｃ、軒側ハゼ部３の側板３ａは、吊子４、５の側壁４ｄ、５ｄと同様に外側に向けて凸となるアールを付与しておくのが好ましく、これにより吊子４、５との嵌合性を改善することができる。
【００２５】
本発明にしたがう横葺き屋根材を用いて屋根構造体を構築するには、まず、図４（ａ）に示すように、吊子を必要数だけ軒から棟にかけて所定間隔で下地材（野地板）に設置、固定する（ここでは、吊子４、５、６を用いる場合についてのみ表示しており、吊子５から吊子４を見た場合に、吊子４が水下側の吊子、吊子５が水上側の吊子となり、吊子６から吊子５を見た場合、吊子５が水下側の吊子、吊子６が水上側の吊子となる。）。
【００２６】
次いで、図４（ｂ）に示すように、板材本体１の棟側ハゼ部２の係止片２ｅを水上側に位置する吊子５の天壁５ｅに引っ掛けるとともに、図５（ａ）（ｂ）に示すように、板材本体１を軒側ハゼ部３とともに下地材に向けて倒し込んでいき、棟側ハゼ部２を水上側に位置する吊子５に向けて押し込む（踏込等による）一方、軒側ハゼ部３を水下側に位置する吊子４に押し込めばよい。これにより棟側ハゼ部２の嵌合空間に水上側の吊子５が嵌合し、軒側ハゼ部３の嵌合空間に水下側に位置する吊子４が嵌合する。
【００２７】
吊子５と吊子６との間に横葺き屋根材を取り付ける場合にも基本的には、吊子４、５との間に設置される横葺き屋根材と同様の手順にしたがって取り付けることになるが、この場合、吊子５と吊子６との間に取り付ける横葺き屋根材の板材本体１の軒側ハゼ部３は、その水下側に位置する横葺き屋根材、すなわち、吊子４、吊子５の間において取り付けられる横葺き屋根材の板材本体１の棟側ハゼ部２を介して吊子５に嵌合することになる。
【００２８】
横葺き屋根材を用いて屋根構造体を構築するには、上記の取り付け作業を屋根の一方のけらばからもう一方のけらばに至るまで先行して行い、その作業を終えたならば、上段側、すなわち、水上側において同様の作業を棟に至るまで繰り返し行うことになる。
【００２９】
図６に、本発明にしたがう横葺き屋根材を用いて構築された屋根構造体の一部分を外観斜視図で示す。なお、本発明にしたがう横葺き屋根材は、軒先側から、あるいは、棟側からのいずれからも横葺き屋根材の取り付け施工が可能であるが、軒先側、棟側から同時に取り付け施工を行うことも可能であり、この場合には、施工時間の短縮を図ることができる利点がある。
【００３０】
また、本発明にしたがう横葺き屋根材は、板材本体１の棟側ハゼ部２に予め吊子を嵌合させておき、軒先側から順に板材本体１の軒側ハゼ部３を水下側に位置する吊子に嵌合させるとともに（軒先に配置される横葺き屋根材は、吊子と同様の形状を有するスターターを用いこのスターターに板材本体１の軒側ハゼ部３を嵌合させ、軒先以外の横葺き屋根材は、板材本体１の軒側ハゼ部３を、水下側に位置する横葺屋根材の棟側ハゼ部２を介して吊子に嵌合させる。）棟側ハゼ部２に予め嵌合させた吊子を屋根の下地材に設置、固定することにより屋根構造体を構築することも可能であり、このような施工によれば、横葺き屋根材の取り付けと同時に吊子の設置、固定が行え、吊子を単独で敷き並べる手間が省ける。
【００３１】
本発明にしたがう横葺き屋根材にて構築された屋根構造体につき、横葺き屋根材の部分交換を行うべく、例えば、図５（ｂ）において吊子４、５の間に取り付けられた横葺き屋根材を取り外すには、まず、吊子５と吊子６との間に取り付けられた横葺き屋根の板材本体１の軒側ハゼ部３と吊子５との嵌合を図７に示す如き鉤型形状をなす取り外し用治具ｇを用い梃子の原理を利用して解除する。そして、次に、吊子４と吊子５との間に位置する横葺き屋根材の板材本体１の軒側ハゼ部３と吊子４との嵌合を同様の治具を用いて解除したのち、板材本体１の棟側ハゼ部２を支点に該軒側ハゼ部３を板材本体１とともに引き起こせばよく、これにより該棟側ハゼ部２が回転して該棟側ハゼ部２と水上側に位置する吊子５との嵌合が解除されることになる。
【００３２】
吊子５と吊子６との間に取り付けられた横葺き屋根の板材本体１の軒側ハゼ部３と吊子５との嵌合を解除するにあたっては、棟側ハゼ部２の起立板２ａの凹部２ａ１にて形成されたスペースを利用してそのスペースに取り外し用治具ｇの本体ｇ１に設けられた先端部ｇ２を差し入れて横葺き屋根材の取り外しを行うのがよい。取り外し用治具ｇとしては、横葺き屋根材の表面傷の発生を回避する観点から本体ｇ１の背面にゴムの如き弾性部材ｇ３を備えたものを用いることが好ましい。
【００３３】
取り外した部位に新規な横葺き屋根を取り付けるには、図４（ｂ）、図５（ａ）（ｂ）に示したところと同様の要領で横葺き屋根材を取り付ければよく、本発明の横葺き屋根材によれば、取り換えたい屋根材の部分交換が容易に行える。
【００３４】
棟側ハゼ部２の突出し部２ｂ、軒側ハゼ部３の突出し部３ｂについては、吊子４、５との強固な連結を実現するために、突き出し部３ｂの下側壁３ｂ１と上側壁３ｂ２とのなす角度θを９０°以下とするのが好ましく、とくに、軒側ハゼ部３の突出し部３ｂについてはその下側壁３ｂ１の長さＬを５ｍｍ以上とするのが望ましい（図７参照）。
【００３５】
図８は、本発明にしたがう横葺き屋根材の他の実施の形態を示した外観斜視図である。本発明にしたがう横葺き屋根材としては、図８に示すように、軒側ハゼ部３の舌片３ｃを板材本体１の長さ方向の両端縁において一部分を取り除いた切り欠き部３ｃ′を設けておくことができる。切り欠き部３ｃ′を設けておくことより、図９に示すように、取り外し用治具ｇの本体ｇ１を起立姿勢に保持したままで切り欠き部３ｃ′を通してその先端部ｇ２を差し入れることが可能となり、該先端部ｇ２の差し入れ後に本体ｇ１を先端部ｇ２とともに軒側ハゼ部３の舌片３ｃの裏側面に位置までスライドさせることにより既に吊子（４、５、６）に嵌合している横葺き屋根材の板材本体１の棟側ハゼ部２の起立板２ａとの相互間に取り外し治具ｇの先端部ｇ２を位置させることができ、横葺き屋根材の取り外し作業が容易となる。切り欠き部３ｃ′の長さについては、取り外し治具ｇの先端部ｇ２の挿し込みが可能な長さとして、例えば、３０ｍｍ程度に設定される。
【００３６】
図１０に、切り欠き部３ｃ′を設けた本発明にしたがう横葺き屋根材の長さ方向の突き合せ連結部位に取り外し用治具ｇを装着し該横葺き屋根材を取り外し可能状態とした外観斜視図を示す。取り外し治具ｇの本体ｇ１を倒し込むことにり既に吊子に嵌合している横葺き屋根材の板材本体１の棟側ハゼ部２とその上に嵌合している横葺き屋根材の板材本体１の軒側ハゼ部３との嵌合が解除される。
【００３７】
上述したように、本発明にしたがう横葺き屋根材は、屋根構造体が既に構築された状態にあっても、他の屋根材を取り外すことなしに取り換えた部分の屋根材のみの取り換えが可能であり、屋根材の部分交換を効率的に行い得る。しかも、棟側ハゼ部２、軒側ハゼ部３はいずれも突出し部２ｂ、３ｂが吊子４、５の顎部４ｃ、５ｃに連係し、棟側ハゼ部２の係止片２ｅが吊子５の天壁５ｅの端縁に引っ掛かった状態で吊子４、５に嵌合することになるため、屋根材同士の連結強度も極めて高い。
【００３８】
本発明の横葺き屋根材は、基本的には屋根構造体を構築するのに用いられるが、建築構造物の外壁を構築する外装材として用いることができる。この場合、外装材としての横葺き屋根材を、板材本体１の棟側ハゼ部２が軒側を向くように、また、軒側ハゼ部３が基礎側に向くように配置して屋根構造体を構築するのと同様の手順で取り付ければよく、必要に応じて部分交換も行える。
【産業上の利用可能性】
【００３９】
本発明によれば、既に構築された屋根構造体であったとしても、一部分のみの屋根材の交換を可能とする屋根材同士の連結強度の高い横葺き屋根材およびその横葺き屋根材にて構築された屋根材の部分交換方法が提供できる。
【符号の説明】
【００４０】
１      板材本体
１ａ、１ｂ    長さ方向の端縁
１ｃ、１ｄ    幅手方向の端縁
２      棟側ハゼ部
２ａ    起立板
２ｂ    突出し部
２ｃ    側板
２ｄ    天板
２ｅ    係止片
３      軒側ハゼ部
３ａ    側板
３ｂ    突出し部
３ｃ    舌片
４      吊子
４ａ    ベース
４ｂ    起立壁
４ｃ    顎部
４ｄ    側壁
４ｅ    天壁
５      吊子
５ａ    ベース
５ｂ    起立壁
５ｃ    顎部
５ｄ    側壁
５ｅ    天壁
６      吊子
ｄ      断熱材
ｇ      治具
【図１】
2020037834.tif 000003
【図２】
2020037834.tif 000004
【図３】
2020037834.tif 000005
【図４】
2020037834.tif 000006
【図５】
2020037834.tif 000007
【図６】
2020037834.tif 000008
【図７】
2020037834.tif 000009
【図８】
2020037834.tif 000010
【図９】
2020037834.tif 000011
【図１０】
2020037834.tif 000012